(57)【要約】【課題】  什器販売店において、什器購入希望者が、什器配置予定の空間の空きスペースの寸法を把握していなくても、購入希望の什器を什器配置予定の空間に配置可能か否かの判断を行うことができるようにする。【解決手段】  コントローラ２は、什器を設置予定の空間における既存の什器配置に関する什器配置情報をあらかじめ記憶する。そして、家具店端末３０からの要求に応じて、記憶している什器配置情報を家具店端末３０に送信する。家具店端末３０は、什器配置情報にもとづいて、什器を設置予定の空間における既存の什器配置を表示部に図面表示するとともに、入力された購入希望什器のサイズに応じた図形を図面における指定位置に表示する。【選択図】  図１
2006221540.tif 000002
【特許請求の範囲】
【請求項１】
什器の購入希望者が什器販売店で什器を購入してよいか否か判断することを支援する什器選択支援システムにおいて、
什器販売店に存在する端末装置から通信ネットワークを介してアクセス可能な装置であって、什器を設置予定の空間における既存の什器配置に関する什器配置情報をあらかじめ記憶し、前記端末装置からの要求に応じて、記憶している前記什器配置情報を前記端末装置に送信する制御装置を備えた
ことを特徴とする什器選択支援システム。
【請求項２】
什器販売店に存在する端末装置は、
表示部を含み、
制御装置から通信ネットワークを介して受信した什器配置情報にもとづいて、什器を設置予定の空間における既存の什器配置に対して購入希望什器を示す情報が重畳された情報を前記表示部に表示する表示制御手段を備えた
請求項１記載の什器選択支援システム。
【請求項３】
表示制御手段は、什器を設置予定の空間における既存の什器配置を表示部に図面表示するとともに、入力された購入希望什器のサイズに応じた図形を前記図面における指定位置に表示する
請求項２記載の什器選択支援システム。
【請求項４】
制御装置は、ホームネットワークシステムにおけるコントローラである
請求項１から請求項３のうちのいずれか１項に記載の什器選択支援システム。
【請求項５】
什器販売店に存在する端末装置は、什器の購入希望者が所持する携帯端末であり、
前記携帯端末は、表示制御手段を実現するためのプログラムを記憶し、
前記プログラムに従って、什器配置情報にもとづいて、什器を設置予定の空間における既存の什器配置を表示部に図面表示するとともに、入力された購入希望什器のサイズに応じた図形を前記図面における指定位置に表示する
請求項１から請求項４のうちのいずれか１項に記載の什器選択支援システム。
【請求項６】
什器の購入希望者が什器販売店で什器を購入してよいか否か判断することを支援する什器選択支援方法において、
什器販売店に存在する端末装置から通信ネットワークを介してアクセス可能な制御装置に、什器を設置予定の空間における既存の什器配置に関する什器配置情報をあらかじめ記憶させ、
前記制御装置が、前記端末装置からの要求に応じて、記憶している前記什器配置情報を前記端末装置に送信する
ことを特徴とする什器選択支援方法。
【請求項７】
什器販売店に存在する端末装置が、
制御装置から通信ネットワークを介して受信した什器配置情報にもとづいて、什器を設置予定の空間における既存の什器配置を図面表示し、
入力された購入希望什器のサイズに応じた図形を前記図面における指定位置に表示する
請求項６記載の什器選択支援方法。
【請求項８】
什器販売店に存在する端末装置から通信ネットワークを介してアクセス可能な制御装置が有するコンピュータに、
什器を設置予定の空間における既存の什器配置に関する什器配置情報を記憶する処理と、
前記端末装置からの要求に応じて、記憶している前記什器配置情報を前記端末装置に送信する処理と
を実行させるための什器選択支援プログラム。
【発明の詳細な説明】
【技術分野】
【０００１】
本発明は、ユーザが家具や電化製品などの什器の販売店等において、そのときの自宅の間取りや家具配置等を考慮して什器を購入するか否か選択することができる什器選択支援システム、什器選択支援方法およびプログラムに関する。
【背景技術】
【０００２】
ユーザが家具を購入する際に、特に、既に居住している住宅が存在し、新たな家具を購入して住宅に設置する際に、ユーザにとって好ましい家具を購入することを支援するための什器選択支援システムが提案されている（例えば、特許文献１参照）。そのような家具購入支援システムでは、例えばユーザがデジタルスチルカメラによって住宅内部を撮影して撮影データを作成し、ユーザ端末が撮影データにもとづいて住宅内部の３次元画像を作成する。そして、ユーザ端末は、ユーザが選択した家具の画像データを、住宅内部の３次元画像のデータに当てはめて、ユーザが選択した家具が設置された住宅の３次元画像を作成する。ユーザは、その３次元画像を見て、選択した家具が住宅にマッチしていることや既存の家具とマッチしていることを確認することができる。
【０００３】
【特許文献１】特願２００１−１５５１７９号公報（段落００１７−００１８、図１）
【発明の開示】
【発明が解決しようとする課題】
【０００４】
従来の什器選択支援システムでは、自宅にあるパーソナルコンピュータなどのユーザ端末において、家具が設置された住宅の３次元画像が作成される。従って、既存の家具配置に関する情報を容易にユーザ端末に入力することができる。そのようなシステムは、自宅でインターネットを介してオンラインで家具を選択する場合には有用である。
【０００５】
しかし、ユーザが実際に家具店等で実物の家具を見て家具を購入しようとする場合は、そのようなシステムを活用することは難しい。なぜならば、ユーザが家具店等でたまたま希望の家具を発見したときに、その家具等が自宅に設置可能であるか否か判断するには、自宅の空きスペースの寸法を把握していなければならないが、一般に、そのような寸法の情報を持ち歩いているとは限らないからである。また、ある程度の寸法を理解できている場合に、その理解にもとづいて家具等を購入したときに、実際に家具等を設置したときに、既存の家具とマッチしない（例えば、設置できても、既存の家具との配置関係により使いづらいなど）場合がある。
【０００６】
そこで、本発明は、家具等の什器の販売店等において、什器購入希望者が、什器配置予定の空間の空きスペースの寸法を把握していなくても、購入希望の什器を什器配置予定の空間に配置可能か否かの判断を行うことができ、また、購入希望の什器を配置した後の配置イメージを確認することが可能になる什器選択支援システム、什器選択支援方法およびプログラムを提供することを目的とする。
【課題を解決するための手段】
【０００７】
本発明による什器選択支援システムは、什器の購入希望者が什器販売店で什器を購入してよいか否か判断することを支援し、什器販売店に存在する端末装置から通信ネットワーク（例えば、インターネット２０）を介してアクセス可能な装置であって、什器を設置予定の空間（例えば、住宅１０の中）における既存の什器配置に関する什器配置情報をあらかじめ記憶し、端末装置からの要求に応じて、記憶している什器配置情報を端末装置に送信する制御装置（例えば、コントローラ２）を備えたことを特徴とする。
【０００８】
什器販売店に存在する端末装置が、表示部を含み、制御装置から通信ネットワークを介して受信した什器配置情報にもとづいて、什器を設置予定の空間における既存の什器配置に対して購入希望什器の情報が重畳された情報を表示部に表示する表示制御手段を備えていることが好ましい。
【０００９】
表示制御手段は、例えば、什器を設置予定の空間における既存の什器配置を表示部に図面表示（３次元画像を用いた表示でもよい。）するとともに、入力された購入希望什器のサイズ（例えば、購入希望什器のサイズ）に応じた図形を図面における指定位置に表示する。
【００１０】
制御装置は、例えば、ホームネットワークシステムにおけるコントローラである。
【００１１】
什器販売店に存在する端末装置が、什器の購入希望者が所持する携帯端末である場合には、携帯端末が、表示制御手段を実現するためのプログラムを記憶し、プログラムに従って、什器配置情報にもとづいて、什器を設置予定の空間における既存の什器配置を表示部に図面表示するとともに、入力された什器のサイズに応じた図形を図面における指定位置に表示するように構成される。そのような構成によれば、個人情報である什器配置情報が、他者に漏れることを防止することができる。
【００１２】
本発明による什器選択支援方法は、什器の購入希望者が什器販売店で什器を購入してよいか否か判断することを支援する方法であって、什器販売店に存在する端末装置から通信ネットワークを介してアクセス可能な制御装置に、什器を設置予定の空間における既存の什器配置に関する什器配置情報をあらかじめ記憶させ、制御装置が、端末装置からの要求に応じて、記憶している什器配置情報を端末装置に送信することを特徴とする。
【００１３】
什器販売店に存在する端末装置が、制御装置から通信ネットワークを介して受信した什器配置情報にもとづいて、什器を設置予定の空間における既存の什器配置を図面表示し、入力された購入希望什器のサイズに応じた図形を図面における指定位置に表示することが好ましい。
【００１４】
本発明による什器選択支援プログラムは、什器販売店に存在する端末装置から通信ネットワークを介してアクセス可能な制御装置が有するコンピュータに搭載され、什器を設置予定の空間における既存の什器配置に関する什器配置情報を記憶する処理と、端末装置からの要求に応じて、記憶している什器配置情報を端末装置に送信する処理とを実行させることを特徴とする。
【発明の効果】
【００１５】
本発明によれば、什器購入希望者は、什器の寸法や空間の空きスペースの位置を正確に把握していなくても、什器販売店において、購入希望什器の設置可否、および什器設置後の空間のイメージを把握することができるので、購入後に什器を設置するスペースがないとか、思い描いていたイメージと異なるといった問題を生じさせることがなく、安心して購入希望什器の購入判断を行うことができる。
【発明を実施するための最良の形態】
【００１６】
実施の形態１．
以下、本発明の実施の形態を図面を参照して説明する。
図１は、本発明による什器選択支援システムの一構成例を示すブロック図である。図１に示すシステムでは、ユーザの自宅である住宅１０に、ホームネットワークシステム（家庭内の各機器を通信可能に接続する家庭内情報通信ネットワークシステム）が構築されている。ホームネットワークシステムにおいて、汎用的なサーバ装置またはシステム専用に開発された装置によるコントローラ２は、ホームネットワーク８、ゲートウェイ３および通信回線４０を介してインターネット２０に接続可能である。以下、コントローラ２とゲートウェイ３との組み合わせをユビキタスハブ１という。
【００１７】
パーソナルコンピュータ（ＰＣ）４も、ホームネットワーク８、ユビキタスハブ１および通信回線４０を介してインターネット２０に接続可能である。また、パーソナルコンピュータ４は、ホームネットワーク８を介してコントローラ２に情報を送信したりコントローラ２から情報を受信する。さらに、ホームネットワーク８には電化製品等も接続可能である。図１には、電化製品として、エアコンディショナー（エアコン）５、冷蔵庫６および洗濯機７が例示されている。エアコン５、冷蔵庫６および洗濯機７は通信機能およびセンサ機能を備え、ホームネットワーク８を介してコントローラ２に情報を送信したりコントローラ２から情報を受信する。
【００１８】
ホームネットワーク８は、例えば、電灯線（宅内交流電力配線）を利用した有線伝送路、または無線伝送路で実現される。
【００１９】
ユビキタスハブ１において、ゲートウェイ３は、光ファイバ回線やＡＤＳＬ回線などのアクセス回線である通信回線４０に接続される通信インタフェース回路を内蔵する。
【００２０】
コントローラ２は、少なくとも、什器選択支援プログラムを含むプログラムに従って処理を実行するＣＰＵ（制御部）と、パーソナルコンピュータ４が送信した情報や、エアコン５、冷蔵庫６および洗濯機７におけるセンサ機能が収集して送信した情報を記憶する記憶部とを有する。従って、以下に説明するコントローラ２による処理は、プログラムに従って動作する制御部によって実現される。また、コントローラ２は、ユーザが使用するリモートコントローラ（リモコン）と通信を行うための無線通信機能を有し、リモコンから送信された情報にもとづいて、エアコン５、冷蔵庫６および洗濯機７を制御する。さらに、コントローラ２の記憶部には、住宅１０の間取りおよび什器配置に関する情報を含む什器配置情報が記憶される。
【００２１】
この実施の形態では、什器として家具を例にする。図１には、家具の販売店（家具店）に設置された家具店端末３０が示されている。家具店端末３０として例えばパーソナルコンピュータが用いられ、家具店端末３０は、インターネット２０に接続可能である。
【００２２】
次に、ユビキタスハブ１におけるコントローラ２への什器配置情報の登録方法を説明する。図２は、コントローラ２の記憶部に什器配置情報を登録する際のパーソナルコンピュータ４およびコントローラ２の動作を示すフローチャートである。
【００２３】
図２に示すように、パーソナルコンピュータ４は、ユーザによって什器配置情報が入力されると（ステップＳ１）、ホームネットワーク８を介して什器配置情報をコントローラ２に送信する（ステップＳ２）。コントローラ２は、パーソナルコンピュータ４から什器配置情報を受信すると（ステップＳ３）、什器配置情報を記憶部に記憶する（ステップＳ４）。
【００２４】
図３は、什器配置情報の一例を示す説明図である。この例では、什器配置情報として図面情報を含む情報が使用される。ユーザは、例えば、パーソナルコンピュータ４にインストールされている描画ソフトウェア（ペイントプログラム）を用いて間取り図を作成し、さらに、既に存在している什器を間取り図に付加する。また、別途、部屋のサイズや什器のサイズをサイズ情報として数値で入力する。さらに、什器等の名称を、テキスト入力してもよい。パーソナルコンピュータ４は、図面情報およびサイズ情報等を什器配置情報としてホームネットワーク８を介してコントローラ２に送信する。コントローラ２は、それらの情報を記憶部に記憶する。なお、図３において、Ａの部分には何も配置されていない。
【００２５】
什器を追加したり削除した場合には、ユーザは、ホームネットワーク８を介してコントローラ２からパーソナルコンピュータ４に什器配置情報をダウンロードする。そして、パーソナルコンピュータ４において描画ソフトウェアを用いて図面情報を更新する。更新された図面情報は、ホームネットワーク８を介してコントローラ２に再アップロードされ、コントローラ２における記憶部の什器配置情報が更新される。
【００２６】
なお、ここでは、ユーザがパーソナルコンピュータ４で什器配置情報を作成する場合について説明したが、ユビキタスハブ１に什器配置情報を登録する方法は、そのような方法に限られない。例えば、パーソナルコンピュータ４に付属するスキャナから間取りの図面情報を入力してもよい。さらに、コントローラ２にデジタルカメラが接続されるように構成し、コントローラ２が、例えばリモコンからの指示に応じてデジタルカメラをスキャンさせて室内の画像を入力し、入力した画像を合成して図面情報を作成したりしてもよい。
【００２７】
次に、ユーザが家具店で好みの家具を見つけ、その家具を購入するか否か決定する際の処理について図４のフローチャートを参照して説明する。ユーザが家具店において好みの家具を発見した場合に、ユーザは、家具店に設置されている家具店端末３０から、インターネット２０を介してユビキタスハブ１をアクセスする。そして、ユビキタスハブ１に什器配置情報を要求する（ステップＳ２１）。ユビキタスハブ１におけるコントローラ２は、記憶部に記憶されている什器配置情報を、インターネット２０を介して家具店端末３０に送信する（ステップＳ２１）。
【００２８】
家具店端末３０は表示部を有し、家具店端末３０には、家具を設置予定の空間における既存の什器配置に対して購入希望家具を重畳した情報を表示部に表示するためのソフトウェア等がインストールされている。例えば、什器配置情報を受信すると、インストールされている家具配置のためのソフトウェアによって、什器配置情報に含まれる図面情報にもとづく図面（間取りおよび既存の什器）を表示部に画面表示する（ステップＳ２３）。ユーザは、家具店端末３０の入力部から、購入希望の家具のサイズを入力する。すると、家具店端末３０は、入力されたサイズの図形（家具図形）を、図面の外に画面表示する。什器配置情報には部屋のサイズや什器のサイズを示すサイズ情報が含まれているので、家具配置のためのソフトウェアに従って動作する家具店端末３０は、図面の縮尺と同じ縮尺で家具図形を表示することができる。なお、家具店端末３０に搭載されているＣＰＵが家具配置のためのソフトウェアに従って動作することによって、什器配置情報にもとづいて什器を設置予定の空間における既存の什器配置を表示部に図面表示するとともに、入力された什器のサイズに応じた図形を図面における指定位置に表示する表示制御手段が実現される。
【００２９】
ユーザは、マウス等の入力装置を用いて、図面として表示されている住居内の空間における指定位置に家具図形を表示させる。具体的には、例えば、図面における所望の位置（指定位置）に家具図形をドローすることによって、家具図形を、既存の什器配置に追加して表示させる（ステップＳ２４）。そして、ユーザは、表示部の表示画面を見て、既存の什器配置に対して家具を配置可能か否か確認するとともに、購入希望の家具を自宅に配置した場合に自身の嗜好に合う配置状況になるか否か確認する。すなわち、什器が既存の什器配置に適合しているか否か確認する。なお、図３に示す例では、Ａの部分に家具図形が配置されたことが示されている。また、ここでは、購入希望の家具を表す家具図形が、まず、図面外に表示され、その後指定位置に移動されるようにしたが、ユーザの操作に応じて、図面内の指定位置に直接家具図形が重畳されるようにしてもよい。
【００３０】
ユーザは、適合することを確認したら、すなわち家具を配置可能であって自身の嗜好に合う配置状況になることを確認したら、家具店端末３０の動作を終了させる（ステップＳ２５）。適合しないと判断した場合には、同種の家具で他のサイズのものに選択を変えるなどした後（ステップＳ２６）、ステップＳ２４の処理を再度実行させる。適合することを確認したら、ユーザは家具を購入する。自宅に家具が配送されてきたときに、家具がうまく設置できない等のトラブルは発生しない。
【００３１】
なお、什器配置情報にもとづいて什器を設置予定の空間における既存の什器配置に対して購入希望什器を示す情報が重畳された情報を作成して表示部に表示する表示制御手段を実現するために家具店端末３０にインストールされているソフトウェアは、本実施の形態を実現するために作成された専用の家具配置のためのプログラムであってもよいが、家具店端末３０としてパーソナルコンピュータを用いる場合には、パーソナルコンピュータに標準的に搭載されているブラウザソフトウェアとペイントソフトウェアとで実現されていてもよい。例えば、パーソナルコンピュータ４が什器配置情報をユビキタスハブ１（具体的にはコントローラ２の記憶部）に登録する際に、図面情報やサイズ情報等を含むＷｅｂページの形式で登録しておけば、家具店端末３０は、ブラウザプログラムによってユビキタスハブ１から什器配置情報をダウンロードして表示することができ、ユーザは、図面情報を閲覧することができる。また、ペイントソフトウェアによって、家具図形を、表示されている図面における任意の位置（指定位置）に記入することができる。
【００３２】
また、ここでは、図面および家具図形を２次元画像表示するようにしたが、それらを３次元画像表示するようにしてもよい。その場合、家具配置のためのソフトウェアは、図面および家具図形のデータにもとづいて３次元画像を作成するプログラムを含む。そのプログラムは、什器配置情報に含まれる什器等の名称（例えば、「たんす」）にもとづいて、その什器の図形を、それにふさわしい３次元画像に変換する。また、各種什器の３次元画像の雛形が、あらかじめ家具店端末３０に記憶される。
【００３３】
また、ここでは、コントローラ２とゲートウェイ３とを別個の装置であるとしたが、それらを一つの装置で実現してもよい。また、ユビキタスハブ１とパーソナルコンピュータ４とを別個の装置であるとしたが、それらを一つの装置で実現してもよい。
【００３４】
以上のように、この実施の形態では、ユーザが家具店において好みの家具を発見したときに、家具店において什器配置情報にもとづいて家具が適合するか否か判断できる。従って、部屋のサイズや什器のサイズを示すサイズ情報をあらかじめ用意することなく好みの家具を安心して購入することができる。
【００３５】
実施の形態２．
上記の実施の形態では、家具店に設置されている家具店端末３０がインターネット２０を介してユビキタスハブ１から什器配置情報を受信したが、家具店において、ユーザが所持しているＰＤＡや携帯電話機などの携帯端末がインターネット２０を介してユビキタスハブ１から什器配置情報を受信するようにしてもよい。図５は、携帯端末がインターネット２０を介してユビキタスハブ１から什器配置情報を受信する場合の什器選択支援システムの構成例を示すブロック図である。
【００３６】
この場合には、ユーザが家具店において好みの家具を発見した場合には、ユーザは、まず、携帯端末５０を、家具店に設置されている家具店サーバ６０と通信可能に接続する。家具店サーバ６０には、家具配置のためのソフトウェアが格納されている。携帯端末５０と家具店サーバ６０との間は、有線接続されてもよいし無線ＬＡＮなどで無線接続されていてもよい。そして、ユーザは、家具店サーバ６０から家具配置のためのソフトウェアをダウンロードする。そのソフトウェアは、ダウンロードされてから所定時間が経過すると自動的に自身を消去させるようにプログラミングされていることが好ましいが、ソフトウェアをそのように構成することが難しい場合には、例えば家具店から退去するときに、家具店員がユーザにソフトウェアをアンインストールすることを求める。なお、携帯端末５０が携帯電話機である場合には、家具店サーバ６０に、携帯電話機とケーブル接続するための専用のコネクタを設ける。
【００３７】
また、携帯端末５０は、家具店サーバ６０から直接ソフトウェアをダウンロードするのではなく、インターネット２０に接続されサイトを運営する家具店サーバ６０からインターネット２０を介して、家具配置のためのソフトウェアをダウンロードするようにしてもよい。
【００３８】
携帯端末５０に家具配置のためのソフトウェアがダウンロードされた後、ユーザは、第１の実施の形態の場合と同様にして、家具図形が、既存の什器配置に適合しているか否か確認する。すなわち、既存の什器配置に対して家具を配置可能か否か確認するとともに、購入希望の家具を自宅に配置した場合に自身の嗜好に合う配置状況になるか否か確認する。
【００３９】
この実施の形態でも、この実施の形態では、ユーザが家具店において好みの家具を発見したときに、家具店において什器配置情報にもとづいて家具が適合するか否か判断できる。従って、部屋のサイズや什器のサイズを示すサイズ情報をあらかじめ用意することなく好みを家具を安心して購入することができる。
【００４０】
また、この実施の形態では、ユーザが所持する携帯端末５０を使用するので、什器配置情報が、家具店に設置されている家具店端末３０にダウンロードされることはない。つまり、什器配置情報という個人情報が、ユーザ以外の他者が保持する端末に漏れることはない。
【００４１】
なお、ユーザが、外出前に、あらかじめ部屋のサイズや什器のサイズを示すサイズ情報を携帯端末５０に入力して記憶させておけば、家具の購入を決定する際に、サイズの問題をクリアできる。すなわち、携帯端末５０に記憶されているサイズ情報を参照することによって、配置不可能な家具を購入してしまうことがないようにすることができる。しかし、外出時には家具購入の予定はなかったが、たまたま好みの家具を発見することもある。その場合に、携帯端末５０にサイズ情報が記憶されているとは限らない。しかし、この実施の形態では、携帯端末５０にサイズ情報が記憶されていなくても、配置不可能な家具を購入してしまうことを心配することなく、家具の購入を決定することができる。
【００４２】
また、携帯端末５０にサイズ情報が記憶されている場合でも、この実施の形態のように構成しない場合には、好みの家具を自宅に配置した場合に自身の嗜好に合う配置状況になるか否か確認することは難しい。ユーザは、具体的な配置状況を自身の頭の中でイメージしなければならないからである。しかし、この実施の形態では、配置状況を画面表示できるので、好みの家具を自宅に配置した場合に自身の嗜好に合う配置状況になるか否かを容易に確認することができる。
【００４３】
なお、ここでは、携帯端末５０が、表示制御手段を実現するために、家具配置のためのソフトウェア（プログラム）を家具店サーバ６０からダウンロードするようにしたが、そのことは必須のことではない。例えば、パーソナルコンピュータ４が什器配置情報をユビキタスハブ１（具体的にはコントローラ２の記憶部）に登録する際に、図面情報やサイズ情報等を含むＷｅｂページの形式で登録してく。携帯端末５０が、ブラウザソフトウェアとペイントソフトウェアとを内蔵していれば、家具店において、携帯端末５０はブラウザによってユビキタスハブ１から什器配置情報をダウンロードして表示することができ、ユーザは、図面情報を閲覧することができる。また、ペイントプログラムによって、家具図形を、表示されている図面における任意の位置（指定位置）に記入することができる。
【００４４】
上記の各実施の形態では、什器として家具を例示したが、本発明は、他の種類の什器例えば電化製品についても適用可能である。
【００４５】
また、上記の各実施の形態では、住居１０における什器の購入の場合を例示したが、対象は住居に限られず、オフィス、工場、学校その他の施設であってもよい。例えば、オフィスにおける什器購入を担当する者が、たまたま外出先で好ましい什器を発見したような場合に、インターネット２０を介して外部からアクセス可能な社内サーバにあらかじめオフィス内の間取りや既存の什器のサイズ等に関する情報を登録しておけば、社内サーバからサイズ等に関する情報を受信することによって、上述した住宅１０の場合と同様に、安心して什器を購入することができる。従って、デスクやラックなどの備品（什器の一種）をオフィスに効率よく配置できるとともに、配置不能な備品を購入してしまって無駄を生じさせるということはない。
【００４６】
そして、本発明によれば、ユーザには安心して什器を購入することができることを保証することができ、什器販売店にとっては、いわば衝動買いの顧客を有効に取り込むことができるので、什器販売店にとっても有用である。
【産業上の利用可能性】
【００４７】
本発明は、所定の部屋に設置される追加の什器を購入する際に、ユーザが、什器が存在する購入場所において、購入希望の什器が所定の部屋や既存の什器に適合するか否かを容易に判断できるので、ユーザの利便性を向上させることができるとともに、本発明によるシステムを什器の販売促進ツールとしても活用することもできる。
【図面の簡単な説明】
【００４８】
【図１】本発明による什器選択支援システムの一構成例を示すブロック図である。
【図２】コントローラの記憶部に什器配置情報を登録する際のパーソナルコンピュータおよびコントローラの動作を示すフローチャートである。
【図３】什器配置情報の一例を示す説明図である。
【図４】ユーザが家具を購入するか否か決定する際の処理を示すフローチャートである。
【図５】什器選択支援システムの他の構成例を示すブロック図である。
【符号の説明】
【００４９】
１０  住宅
２０  インターネット
３０  家具店端末
４０  通信回線
５０  携帯端末
６０  家具店サーバ
【図１】
2006221540.tif 000003
【図２】
2006221540.tif 000004
【図３】
2006221540.tif 000005
【図４】
2006221540.tif 000006
【図５】
2006221540.tif 000007